(57)【要約】【課題】ゲートウェイ装置のバッファ容量が小さい場合であっても、バッファオーバーフローを防止し、安定したファクシミリ送信が可能となるネットワークファクシミリ装置を提供する。【解決手段】このネットワークファクシミリ装置は、トランスポートをＴＣＰまたはＵＤＰの何れかにより行う機能を備えたＩＴＵ−Ｔ勧告Ｔ．３８標準準拠のネットワークファクシミリ装置において、非ＥＭＣモードで送信する際には、トランスポートの種類によりパケットサイズを異ならせて送信する。例えば、非ＥＭＣモード、且つ、ＵＤＰトランスポートにより送信を行う際には、ＴＣＰのパケットサイズより小さいパケットサイズに設定したＵＤＰを用いて送信し、ＥＭＣモードのときや非ＥＭＣモードであってもＴＣＰトランスポートによるときには通常のＴＣＰのパケットサイズで送信するものである。【選択図】図１
2009017383.tif 000002
【特許請求の範囲】
【請求項１】
トランスポートをＴＣＰまたはＵＤＰの何れかにより行う機能を備えたＩＴＵ−Ｔ勧告Ｔ．３８標準準拠のネットワークファクシミリ装置において、非ＥＭＣモードで送信する際には、トランスポートの種類によりパケットサイズを異ならせて送信することを特徴とするネットワークファクシミリ装置。
【請求項２】
請求項１に記載のネットワークファクシミリ装置において、非ＥＭＣモード、且つ、ＵＤＰトランスポートにより送信を行う際には、ＴＣＰのパケットサイズより小さいパケットサイズに設定したＵＤＰを用いて送信することを特徴とするネットワークファクシミリ装置。
【請求項３】
トランスポートをＴＣＰまたはＵＤＰの何れかにより行う機能を備えたＩＴＵ−Ｔ勧告Ｔ．３８標準準拠のネットワークファクシミリ装置における通信方法において、非ＥＭＣモードで送信する際には、トランスポートの種類によりパケットサイズを異ならせるステップを備えることを特徴とする通信方法。
【発明の詳細な説明】
【技術分野】
【０００１】
本発明は、ＩＰ（Internet Protocol）ネットワークを介してファクシミリ通信を行うネットワークファクシミリ装置およびネットワークファクシミリ通信方法に関し、特に、ＩＴＵ（International Telecommunication Union：国際電気通信連合）−Ｔ勧告Ｔ.３８に準拠し、ファクシミリ信号を音声信号とみなして処理するＶｏＩＰ（Voice over Internet Protocol）を介してネットワークファクシミリ装置とＧ３ファクシミリ装置との間でファクシミリ通信を行う技術に関する。
【背景技術】
【０００２】
ＩＴＵ−Ｔ勧告Ｔ.３８に準拠したパケット網を介して通信するファクシミリ装置としては、次のような２種類がある。
１つは、自装置から直接データ送信を行い、また、受信データを自装置が直接受信する、パケット網直結型のネットワークファクシミリ装置である。
このパケットは、ＴＣＰ（Transmission Control Protocol）あるいはＵＤＰ（User Datagram Protocol）に載せて転送される。
【０００３】
もう１つは、公衆回線網を介してＧ３ファクシミリ装置との間で勧告Ｔ.３０に準拠した通信を行うと同時に、ネットワークファクシミリ装置との間で勧告Ｔ.３８に準拠したパケット網を介した通信を行うゲートウェイ装置である。このゲートウェイ装置には、例えば、ファクシミリ信号を音声信号とみなし、ファクシミリ信号をパケットにしてＩＰ網経由で送るＶｏＩＰゲートウェイ装置があり、ファクシミリ通信をリアルタイムにプロトコル変換して中継する。
【０００４】
ところで、パケットを送信するＴＣＰは、ＵＤＰよりもデータ転送の確実性が高いプロトコルであるが、パケットロスでの再送処理等の処理が重く、ネットワークトラフィックの負荷が増えるとパケット送信速度が極端に遅くなってしまう。したがって、ＶｏＩＰゲートウェイ装置経由でＧ３ファクシミリ装置と通信している場合は、遅延によりタイムアウトが発生する可能性が高くなる。
【０００５】
このような問題点を解決する技術として、特許文献１〜２のような技術がある。
特許文献１の技術では、トランスポート層をＴＣＰにより行なっているときにパケット遅延が大きいときは、同じ宛先の次通信のトランスポート層をＵＤＰにより行い、トランスポート層をＵＤＰにより行なっているときにパケット遅延が所定値より小さいときは、同じ宛先の次通信のトランスポート層をＴＣＰにより行うことにより、ネットワーク負荷が増えてもパケット遅延によるタイムアウトの発生確率を低くすることができる。
【０００６】
また、特許文献２の技術では、受信先のバッファオーバーフローを検出すると、送信元では、それ以降、画情報を運ぶＵＤＰパケットとＵＤＰパケットの間に遅延時間を挿入することにより、受信先のバッファオーバーフローが発生しないように、送信元の画情報の送り出しタイミングが調整されることとなり、ＵＤＰモードを利用して、円滑な画情報送信を行うことができる。
【特許文献１】特開２００４−３２０３９号公報
【特許文献２】特開２００１−２６８１１４号公報
【発明の開示】
【発明が解決しようとする課題】
【０００７】
ところで、高速のＩＰ網に接続したネットワークファクシミリ装置と、低速の公衆回線網に接続したアナログファクシミリ装置とをそれぞれゲートウェイ装置に接続して画情報を送信する場合、ネットワークファクシミリ装置から送信された画情報をゲートウェイ装置で一時的に蓄積し、蓄積された画情報を低速の公衆回線網に送出して、アナログファクシミリ装置がその画情報を受信するようになっている。
【０００８】
しかし、ネットワークトラフィックの負荷が増えると、パケット送信速度が極端に遅くなるため、バッファ容量が大きいものでないゲートウェイ装置においては、バッファオーバーフローが発生するという問題がでてくる。
【０００９】
この問題点に対して、特許文献１の技術では、ＴＣＰを用いた通信からＵＤＰを用いた通信に切り替えることで、ネットワークの負荷を低減するとともに、パケット遅延の小さい通信を可能にしている。しかし、さらにネットワークの負荷が増えたときには、バッファオーバーフローが発生するという問題が残っている。
【００１０】
また、特許文献２の技術では、送信元の画情報の送り出しタイミングを調整することで、ゲートウェイ装置におけるバッファオーバーフローの発生を防止している。しかし、タイミング速度が遅れるとＶｏＩＰゲートウェイ装置経由でのＧ３ＦＡＸへの送信が間に合わずタイミングエラーが発生することがある。
【００１１】
本発明は、上述の実情を考慮してなされたものであって、ＶｏＩＰゲートウェイ装置のバッファ容量が小さい場合であっても、バッファオーバーフローを防止し、安定したファクシミリ送信が可能となるネットワークファクシミリ装置およびその通信方法を提供することを目的とする。
【課題を解決するための手段】
【００１２】
上記の課題を解決するために、本発明のネットワークファクシミリ装置は、トランスポートをＴＣＰまたはＵＤＰの何れかにより行う機能を備えたＩＴＵ−Ｔ勧告Ｔ．３８標準準拠のネットワークファクシミリ装置において、非ＥＭＣモードで送信する際にはトランスポートの種類によりパケットサイズを異ならせて送信するものである。
例えば、非ＥＭＣモード、且つ、ＵＤＰトランスポートにより送信を行う際には、ＴＣＰのパケットサイズより小さいパケットサイズに設定したＵＤＰを用いて送信し、ＥＭＣモードのときや非ＥＭＣモードであってもＴＣＰトランスポートによるときには通常のＴＣＰのパケットサイズで送信するようにした。
【発明の効果】
【００１３】
本発明によれば、ゲートウェイ装置のバッファ容量が小さい場合であっても、バッファオーバーフローを防止し、安定したファクシミリ送信が可能となる。
【発明を実施するための最良の形態】
【００１４】
以下、図面を参照して本発明に係る好適な実施形態について説明する。
【００１５】
図１は、本実施形態に係るネットワークファクシミリ装置が適用されるファクシミリ通信システムの構成を示すブロック図であり、同図において、ファクシミリ通信システムは、１台以上のネットワークファクシミリ装置（インターネットＦＡＸ）１、１台以上のグループ３ファクシミリ装置（Ｇ３ＦＡＸ）２、ゲートウェイ装置（ＶｏＩＰゲートウェイ装置）４、ＩＰ網５とから構成されている。
【００１６】
インターネットＦＡＸ１は、ＩＰ網５を介してＶｏＩＰゲートウェイ装置４と接続されている。また、Ｇ３ＦＡＸ２は、公衆交換電話網（ＰＳＴＮ）を介して接続したＶｏＩＰゲートウェイ装置４を介してＩＰ網５に接続されている。
インターネットＦＡＸ１は、ＩＴＵ−Ｔ勧告Ｔ．３８標準に準拠しており、通信トランスポート層としてＴＣＰおよびＵＤＰとを備えている。
【００１７】
図２は、本実施形態に係るネットワークファクシミリ装置（インターネットＦＡＸ）１の構成例である。同図において、システム制御部１１は、このインターネットＦＡＸ１の各部の制御処理、Ｔ．３８通信機能処理などの各種制御処理を行うものであり、システムメモリ１２は、システム制御部１１が実行する制御処理プログラム、および、処理プログラムを実行するときに必要な各種データなどを記憶するとともに、システム制御部１１のワークエリアを構成するものであり、パラメータメモリ１３は、このインターネットＦＡＸ１に固有な各種の情報を記憶するためのものであり、時計部１４は、現在時刻情報を出力するものである。
【００１８】
スキャナ部１５は、所定の解像度で原稿画像を読み取るためのものであり、印字部１６は、所定の解像度で画像を記録出力するためのものであり、操作表示部１７は、このインターネットＦＡＸ１を操作するためのもので、各種の操作キー、および、各種の表示器からなる。
符号化復号化部１８は、画信号を符号化圧縮するとともに、符号化圧縮されている画情報を元の画信号に復号化するためのものであり、画像蓄積部１９は、符号化圧縮された状態の画情報を多数記憶するためのものである。
【００１９】
ネットワークインターフェース２１は、このインターネットＦＡＸ１をＩＰ網５に接続するためのものであり、ネットワーク伝送制御部２２は、ＩＰ網５を介して、他のファクシミリ装置との間で種々のデータをやりとりするための各種所定のプロトコルスイートの通信制御処理を実行するためのものである。
【００２０】
これらの、システム制御部１１、システムメモリ１２、パラメータメモリ１３、時計部１４、スキャナ部１５、印字部１６、操作表示部１７、符号化復号化部１８、画像蓄積部１９、および、ネットワーク伝送制御部２２は、内部バス２３に接続されており、これらの各要素間でのデータのやりとりは、主としてこの内部バス２３を介して行われている。
【００２１】
図３は、本実施形態に係るグループ３ファクシミリ装置（Ｇ３ＦＡＸ）２の構成例である。同図において、システム制御部３１は、このＧ３ＦＡＸ２の各部の制御処理、および、所定のグループ３ファクシミリ伝送制御手順処理を行うものであり、システムメモリ３２は、システム制御部３１が実行する制御処理プログラム、および、処理プログラムを実行するときに必要な各種データなどを記憶するとともに、システム制御部３１のワークエリアを構成するものであり、パラメータメモリ３３は、このＧ３ＦＡＸ２に固有な各種の情報を記憶するためのものであり、時計部３４は、現在時刻情報を出力するためのものである。
【００２２】
スキャナ部３５は、所定の解像度で原稿画像を読み取るためのものであり、印字部３６は、所定の解像度で画像を記録出力するためのものであり、操作表示部３７は、このＧ３ＦＡＸ２を操作するためのもので、各種の操作キー、および、各種の表示器からなる。
符号化復号化部３８は、画信号を符号化圧縮するとともに、符号化圧縮されている画情報を元の画信号に復号化するためのものであり、画像蓄積部３９は、符号化圧縮された状態の画情報を多数記憶するためのものである。
【００２３】
Ｇ３ファクシミリモデム４０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
網制御部４１は、このＧ３ＦＡＸ２をＰＳＴＮに接続するためのものであり、自動発着信機能を備えている。
網制御部４１とＧ３ファクシミリモデム４０との間のデータのやりとりは、直接行なわれている。
【００２４】
これらの、システム制御部３１、システムメモリ３２、パラメータメモリ３３、時計部３４、スキャナ部３５、印字部３６、操作表示部３７、符号化復号化部３８、画像蓄積部３９、Ｇ３ファクシミリモデム４０、および、網制御部４１は、内部バス４２に接続されており、これらの各要素間でのデータのやりとりは、主としてこの内部バス４２を介して行われている。
【００２５】
図４は、図１のインターネットＦＡＸ１とＶｏＩＰゲートウェイ装置４とＧ３ＦＡＸ２との間におけるファクシミリ通信手順を示すシーケンス図である。ここでは、送信元のファクシミリ装置をインターネットＦＡＸ１とし、受信先のファクシミリ装置をＧ３ＦＡＸ２とし、トランスポート層は、デフォルトでＴＣＰに設定されているものとする。
【００２６】
送信元のインターネットＦＡＸ１は、ＶｏＩＰゲートウェイ装置４を介して呼接続のためのＳＥＴＵＰメッセージを受信先のＧ３ＦＡＸ２へ送信する。
ＳＥＴＵＰメッセージを受信したＶｏＩＰゲートウェイ装置４は、受信先のＧ３ＦＡＸ２に対してコーリングトーン（ＣＮＧ：Calling Tone）を送信するとともに、ＣＯＮＮＥＣＴメッセージを送信元のインターネットＦＡＸ１へ応答する。
ＳＥＴＵＰメッセージ、および、ＣＯＮＮＥＣＴメッセージにより、トランスポート層をＵＤＰ、または、ＴＣＰのいずれかに選択される。
これにより、送信元のインターネットＦＡＸ１とＶｏＩＰゲートウェイ装置４との間に接続が確立され、勧告Ｔ．３８手順に従ったＴ．３８セッションのデータのやりとりが開始される。
【００２７】
Ｇ３ＦＡＸ２は、ＶｏＩＰゲートウェイ装置４からのコーリングトーンを検出すると、まず被呼局識別信号（ＣＥＤ：Called Station Identification signal）を送出し、続いて、伝送速度や最大受信幅などの自装置の性能情報を含むデジタル識別信号（ＤＩＳ：Digital Transmit Command signal）を送出することによって、自装置の機能を、ＶｏＩＰゲートウェイ装置４を介して送信元のインターネットＦＡＸ１へ知らせる。
【００２８】
すると、これらの信号に応答して、送信元のインターネットＦＡＸ１が、自装置の伝送速度や最大受信幅などの自装置の性能情報を含むデジタル命令信号（ＤＣＳ：Digital Command Signal）を送出することによって、自装置の機能を受信先のＧ３ＦＡＸ２へ知らせる。このＤＩＳとＤＣＳの通信により、ＥＣＭ、または、非ＥＣＭが決定される。
ここで、非ＥＭＣが選択された場合には、ＵＤＰまたはＴＣＰの何れかのトランスポート層が選択可能である。
【００２９】
続いて、送信元のインターネットＦＡＸ１あるいはＶｏＩＰゲートウェイ装置４から送信されたトレーニングチェック信号（ＴＣＦ：Training Check signal）を受信先のＧ３ＦＡＸ２が受信すると、受信準備確認信号（ＣＦＲ：Confirmation to Receive signal）が受信先のＧ３ＦＡＸ２からインターネットＦＡＸ１に返信される。
【００３０】
送信元のインターネットＦＡＸ１は、受信先のＧ３ＦＡＸ２からＣＦＲ信号を受信後、ＶｏＩＰゲートウェイ装置４に対して、画データ（ＰＩＸ）を１ページ分ずつ送信する。
ＶｏＩＰゲートウェイ装置４は、受信した画データをシーケンス番号順に整えてからグループ３ファクシミリ伝送手順に合わせてプロトコル変換し、受信先のＧ３ＦＡＸ２へ送信する。
【００３１】
送信元のインターネットＦＡＸ１は、全ページ分の画データの送信終了後、手順終了信号ＥＯＰ（End of Procedures signal）を、ＶｏＩＰゲートウェイ装置４を介してＧ３ＦＡＸ２へ送信し、Ｇ３ＦＡＸ２が全ページ分の画データを受信したことを確認すれば、メッセージ確認信号ＭＣＦ（Message Confirmation signal）がＧ３ＦＡＸ２からインターネットＦＡＸ１に返信される。
【００３２】
最後に、送信元のインターネットＦＡＸ１が切断命令信号ＤＣＮ（Disconnect signal）をＶｏＩＰゲートウェイ装置４に送ると、インターネットＦＡＸ１とＶｏＩＰゲートウェイ装置４との間に接続が開放（Release）される。
ＶｏＩＰゲートウェイ装置４が切断命令信号ＤＣＮをＧ３ＦＡＸ３に送って受信されると、ＶｏＩＰゲートウェイ装置４とＧ３ＦＡＸ２との接続が切断されて、インターネットＦＡＸ１とＧ３ＦＡＸ２とのファクシミリ通信が終了する。
【００３３】
この様な各信号およびデータを送受するための制御は、送信元のインターネットＦＡＸ１のシステム制御部１１によって行われる。
上記図４の説明には、Ｈ．３２３の呼接続制御を用いて説明を行ったが、ＳＩＰ（Session Initiation Protocol）を用いた場合であっても、信号名称が変化するだけあり、本質的には何ら変わらない。
【００３４】
次に、本実施形態に係るネットワークファクシミリ装置（インターネットＦＡＸ）１およびＶｏＩＰゲートウェイ装置４について説明する。
【００３５】
インターネットＦＡＸ１には、本来備えられた機能に加えて、次に示すような選択手段が備えられている。
選択手段は、先に示したＳＥＴＵＰ、または、ＣＯＮＮＥＣＴの通信により、受信側装置が保有するトランスポート層を認識することによりＴＣＰとＵＤＰの何れかが選択される。一般的には、送信容量が大きい場合にはＵＤＰが用いられ、送信を確実に行う場合にはＴＣＰが用いられる。そして、トランスポート層をＴＣＰからＵＤＰに切り替えた場合、パケットサイズをＴＣＰのときよりも小さなパケットサイズに設定する。
また、選択手段は、デフォルトでは、トランスポート層をＴＣＰとして選択しており、ＴＣＰ／ＩＰによる通信を行う。
【００３６】
ＶｏＩＰゲートウェイ装置４は、インターネットＦＡＸ１から受信したパケットを一旦バッファに記憶し、受信先のＧ３ＦＡＸ２との接続処理を開始する。この場合の回線は、ＰＳＴＮが用いられるために、通信速度が低速となる。
【００３７】
送信元のインターネットＦＡＸ１は、ＶｏＩＰゲートウェイ装置４から通信エラーを受信したとき、再送を行う際に、通信エラーが発生したトランスポート層ＴＣＰのパケットサイズより小さなパケットサイズに設定し、トランスポート層にＵＤＰを用いてＶｏＩＰゲートウェイ装置４へ送信する。
【００３８】
次に、本実施形態に係るネットワークファクシミリ装置の動作を図５のフローチャートを用いて説明する。
まず、受信先の端末（Ｇ３ＦＡＸ２）との呼接続を開始し、ＶｏＩＰゲートウェイ装置４を介して呼接続のためのＳＥＴＵＰメッセージをＧ３ＦＡＸ２へ送信する（ステップＳ１、Ｓ２）。
ＳＥＴＵＰメッセージを受信したＶｏＩＰゲートウェイ装置４から、ＣＯＮＮＥＣＴメッセージが送られてくると（ステップＳ３／ＹＥＳ）、ＳＥＴＵＰメッセージ、および、ＣＯＮＮＥＣＴメッセージにより、トランスポート層をＵＤＰ、または、ＴＣＰのいずれかに選択されて、インターネットＦＡＸ１とＶｏＩＰゲートウェイ装置４との間に接続が確立され、勧告Ｔ．３８手順に従ったＴ．３８セッションのデータのやりとりが開始される。
【００３９】
さらに、ＶｏＩＰゲートウェイ装置４を介して、Ｇ３ＦＡＸ２からＣＥＤ信号と、続いて、ＤＩＳ信号が送られてくる（ステップＳ４）。
これらの信号に応答して、ＶｏＩＰゲートウェイ装置４を介して、ＤＣＳ信号を送出することによって、インターネットＦＡＸ１の機能を受信先のＧ３ＦＡＸ２へ知らせる（ステップＳ５）。このＤＩＳとＤＣＳの通信により、ＥＣＭ、または、非ＥＣＭが決定される。
【００４０】
非ＥＭＣが選択され、トランスポート層がＵＤＰであった場合（ステップＳ６／ＹＥＳ、Ｓ７／ＹＥＳ）、パケットサイズを通常よりも小さい値に設定する（ステップＳ８）。
一方、ＥＭＣが選択されるか（ステップＳ６／ＮＯ）、あるいは、非ＥＣＭが選択されトランスポート層がＴＣＰであった場合（ステップＳ６／ＹＥＳ、Ｓ７／ＮＯ）、パケットサイズを通常の値に設定する（ステップＳ９）。
【００４１】
続いて、送信元のインターネットＦＡＸ１から送信されたトレーニングチェック信号（ＴＣＦ：Training Check signal）に応じて受信先のＧ３ＦＡＸ２から受信準備確認信号（ＣＦＲ：Confirmation to Receive signal）が返信されてくると、ファクシミリの送信が行われる（ステップＳ１０）。
このファクシミリの送信は、ＶｏＩＰゲートウェイ装置４に対して、画データ（ＰＩＸ）を１ページ分ずつ送信し、ＶｏＩＰゲートウェイ装置４は、受信した画データをシーケンス番号順に整えてからグループ３ファクシミリ伝送手順に合わせてプロトコル変換し、受信先のＧ３ＦＡＸ２へ送信する。
【００４２】
ここで、ファクシミリ送信中にＶｏＩＰゲートウェイ装置４から通信エラー受信したときは、通信エラーが発生したトランスポート層ＴＣＰのパケットサイズより小さなパケットサイズに設定し、トランスポート層ＵＤＰを用いてＶｏＩＰゲートウェイ装置４へ再送信する。
【００４３】
そして、全ページ分の画データの送信終了後、呼切断処理を行う（ステップＳ１１）。
この呼切断処理は、手順終了信号ＥＯＰ（End of Procedures signal）を、ＶｏＩＰゲートウェイ装置４を介してＧ３ＦＡＸ２へ送信し、全ページ分の画データを受信したことのメッセージ確認信号ＭＣＦ（Message Confirmation signal）がＧ３ＦＡＸ２から返信されると、送信元のインターネットＦＡＸ１が切断命令信号ＤＣＮ（Disconnect signal）をＶｏＩＰゲートウェイ装置４に送って、ＶｏＩＰゲートウェイ装置４との間に接続を開放（Release）する。
そして、ＶｏＩＰゲートウェイ装置４が切断命令信号ＤＣＮをＧ３ＦＡＸ３に送って受信されると、ＶｏＩＰゲートウェイ装置４とＧ３ＦＡＸ２との接続が切断されて、インターネットＦＡＸ１とＧ３ＦＡＸ２とのファクシミリ通信が終了する。
【００４４】
以上のように、本実施形態を構成することにより、ＶｏＩＰゲートウェイ装置のバッファ容量が小さい場合であっても、バッファオーバーフローを防止し、安定したファクシミリ送信が可能となる。
【図面の簡単な説明】
【００４５】
【図１】実施形態に係るネットワークファクシミリ装置が適用されるファクシミリ通信システムの構成を示すブロック図である。
【図２】実施形態に係るネットワークファクシミリ装置の構成例である。
【図３】実施形態に係るグループ３ファクシミリ装置の構成例である。
【図４】ネットワークファクシミリ装置とＶｏＩＰゲートウェイ装置とグループ３ファクシミリ装置との間におけるファクシミリ通信手順を示すシーケンス図である。
【図５】実施形態に係るネットワークファクシミリ装置の動作を示すフローチャートである。
【符号の説明】
【００４６】
１…ネットワークファクシミリ装置（インターネットＦＡＸ）、１１…システム制御部、１２…システムメモリ、１３…パラメータメモリ、１４…時計部、１５…スキャナ部、１６…印字部、１７…操作表示部、１８…符号化復号化部、１９…画像蓄積部、２１…ネットワークインターフェース、２２…ネットワーク伝送制御部、２３…内部バス、２…グループ３ファクシミリ装置（Ｇ３ＦＡＸ）、３１…システム制御部、３２…システムメモリ、３３…パラメータメモリ、３４…時計部、３５…スキャナ部、３６…印字部、３７…操作表示部、３８…符号化復号化部、３９…画像蓄積部、４０…Ｇ３ファクシミリモデム、４１…網制御部、４２…内部バス、４…ＶｏＩＰゲートウェイ装置、５…ＩＰ網。
【図１】
2009017383.tif 000003
【図２】
2009017383.tif 000004
【図３】
2009017383.tif 000005
【図４】
2009017383.tif 000006
【図５】
2009017383.tif 000007